(57)【要約】【課題】スライドレールをスライド方向に動かす際に、がたつきを抑制できると共にスムーズにスライドできるスライドレールおよびスライドレールを備える光パネルを提供する。【解決手段】筐体に固定可能な少なくとも一つの固定レール部２と、固定レール部２に対してスライド自在な移動レール部６とを備え、移動レール部６および固定レール部２の一方はそれぞれが対向する面に少なくとも一つの突起７１ａを有し、他方はそれぞれが対向する面に少なくとも一つのクランプ２６ａを有し、クランプ２６ａは突起７１ａが嵌合可能な開口２７ａを有し、移動レール部６が固定レール部２に対して所定の位置に移動するときに、クランプ２６ａが移動レール部６および固定レール部２の幅方向Ａに弾性変形して突起７１ａと嵌合する。【選択図】図６
2018158005.tif 000002
【特許請求の範囲】
【請求項１】
筐体に固定可能な少なくとも一つの固定レール部と、当該固定レール部に対してスライド自在な移動レール部と、を備え、
前記移動レール部および前記固定レール部の一方はそれぞれが対向する面に少なくとも一つの突起を有し、他方はそれぞれが対向する面に少なくとも一つのクランプを有し、
前記クランプは前記突起が嵌合可能な開口を有し、
前記移動レール部が前記固定レール部に対して所定の位置に移動するときに、前記クランプが前記移動レール部および前記固定レール部の幅方向に弾性変形して前記突起と嵌合する、スライドレール。
【請求項２】
二つの前記突起として、第一の突起と第二の突起とを備え、
二つの前記クランプとして、第一のクランプと第二のクランプとを備え、
前記移動レール部および前記固定レール部の前記一方は、それぞれが対向する面において長手方向の両方の端部側にそれぞれ前記第一の突起と前記第二の突起とが設けられ、前記他方はそれぞれが対向する面において長手方向の端部側に前記第一のクランプと前記第二のクランプとが設けられており、
前記移動レール部が前記固定レール部に対して収納された位置に移動するときに、前記第一のクランプが前記移動レール部または前記固定レール部の幅方向に弾性変形して前記第一の突起と嵌合し、
前記移動レール部が前記固定レール部に対して引き出された位置に移動するときに、前記第二のクランプが前記移動レール部または前記固定レール部の幅方向に弾性変形して前記第二の突起と嵌合する、請求項１に記載のスライドレール。
【請求項３】
前記第一のクランプと前記第二のクランプとがスライド方向において隣り合わせに設けられており、前記開口が開いている方向が反対方向である、請求項２に記載のスライドレール。
【請求項４】
二つの前記固定レール部として、第一固定レール部と第二固定レール部とを備え、
前記移動レール部は、前記第一固定レール部と前記第二固定レール部との間に介在させてスライド自在である、請求項１から請求項３のいずれか一項に記載のスライドレール。
【請求項５】
前記第二固定レール部は、前記第一固定レール部からの引き出し方向の後端側に前記クランプが設けられ、
前記移動レール部は、前記引き出し方向の先端側に前記クランプが当接して係止される係止部が設けられると共に、前記係止部の後方側の内側面の間隔が前記クランプの外径よりも大きい間隔に拡張された拡幅部が設けられており、
前記拡幅部と前記クランプの外側縁部とによって、前記移動レール部に対して前記第二固定レール部をその幅方向の少なくとも一方向に傾斜可能に構成されている、請求項４に記載のスライドレール。
【請求項６】
前記第一固定レール部と前記第二固定レール部とが同じ構造である、請求項４または請求項５に記載のスライドレール。
【請求項７】
前記クランプは、Ｃ型クランプである、請求項１から請求項６のいずれか一項に記載のスライドレール。
【請求項８】
外線から導入する光ケーブルとの接続部を有するトレイと、該トレイを収納する光パネル本体と、請求項１から請求項７のいずれか一項に記載のスライドレールと、を備える光パネルであって、
前記トレイと前記光パネル本体とが前記スライドレールを介して連結され、前記トレイが前記光パネル本体から引き出し自在に構成されている、光パネル。
【発明の詳細な説明】
【技術分野】
【０００１】
本発明は、スライドレールおよびスライドレールを備える光パネルに関する。
【背景技術】
【０００２】
例えば、特許文献１には、第一実施例において、内側スライド部材と中間スライド部材との間にロックを有する入れ子式引出しスライド（スライドレール）が記載されている。
【先行技術文献】
【特許文献】
【０００３】
【特許文献１】特表２００４−５３５８３３号公報
【発明の概要】
【発明が解決しようとする課題】
【０００４】
ところが、特許文献１に開示された第一実施例において、上記ロックは、内側スライド部材の内側上に中間スライド部材に向けてばねで付勢された矩形部が設けられた係止部と、中間スライド部材上に前記矩形部を捕捉するように設けられた穴とによって構成されている（特許文献１の図３参照）。
【０００５】
上記の構成では、係止部（の矩形部）の付勢方向は、中間スライド部材の厚さ方向である。このため、特許文献１の図３の状態から、内側スライド部材を中間スライド部材に押し込むようにスライドさせる際に、係止部が中間スライド部材の端部に当たって中間スライド部材との隙間に潜り込む。このときに、係止部のばねの付勢力が急に中間スライド部材の厚さ方向に作用して、中間スライド部材の厚さ方向に振動を与えるおそれがある。また、前記穴に捕捉されてこの穴から矩形部が突出した状態（係止状態）から、内側スライド部材を引き出す方向にスライドさせる際にも、同様に中間スライド部材の厚さ方向に振動を与えるおそれがある。
【０００６】
このため、上記のようなスライドレールの構成では、スライド時にがたつきが生じてしまう。また、内側スライド部材と中間スライド部材の隙間に係止部がある状態でスライドさせる際に、中間スライド部材の裏面に対する押圧力が生じてスムーズなスライドができないおそれがある。
【０００７】
そこで、本発明は、スライドレールをスライド方向に動かす際に、がたつきを抑制できると共にスムーズにスライドできるスライドレールおよびスライドレールを備える光パネルを提供することを目的とする。
【課題を解決するための手段】
【０００８】
本発明の一態様に係るスライドレールは、
筐体に固定可能な少なくとも一つの固定レール部と、当該固定レール部に対してスライド自在な移動レール部と、を備え、
前記移動レール部および前記固定レール部の一方はそれぞれが対向する面に少なくとも一つの突起を有し、他方はそれぞれが対向する面に少なくとも一つのクランプを有し、
前記クランプは前記突起が嵌合可能な開口を有し、
前記移動レール部が前記固定レール部に対して所定の位置に移動するときに、前記クランプが前記移動レール部および前記固定レール部の幅方向に弾性変形して前記突起と嵌合する。
【０００９】
また、本発明の一態様に係るスライドレールを備える光パネルは、
外線から導入する光ケーブルとの接続部を有するトレイと、該トレイを収納する光パネル本体と、上記のスライドレールと、を備える光パネルであって、
前記トレイと前記光パネル本体とが前記スライドレールを介して連結され、前記トレイが前記光パネル本体から引き出し自在に構成されている。
【発明の効果】
【００１０】
本発明によれば、スライドレールをスライド方向に動かす際に、がたつきを抑制できると共にスムーズにスライドすることができる。
【図面の簡単な説明】
【００１１】
【図１】本実施形態に係るスライドレールを備える光パネルの構成の一例を示す図である。
【図２】本実施形態に係るスライドレールにおける固定レール部の一側面側の構成を示す図である。
【図３】図２の固定レール部の他側面側の構成を示す図である。
【図４】本実施形態に係るスライドレールにおける移動レール部の一側面側の構成を示す図である。
【図５】図４の移動レール部の他側面側の構成を示す図である。
【図６】本実施形態に係るスライドレールにおけるクランプと突起との嵌合を説明する図である。
【図７】本実施形態に係るスライドレールにおけるクランプと突起との嵌合を説明する図である。
【図８】本実施形態に係るスライドレールにおける収納時のクランプと突起との嵌合を説明する図である。
【図９】本実施形態に係るスライドレールにおける移動レール部の拡幅部の構成を示す図である。
【図１０】本実施形態に係るスライドレールにおける移動レール部に対して傾斜する第二固定レール部を示す図である。
【発明を実施するための形態】
【００１２】
（本発明の実施形態の説明）
最初に本発明の実施態様を列記して説明する。
本発明の一態様に係るスライドレールは、
（１）筐体に固定可能な少なくとも一つの固定レール部と、当該固定レール部に対してスライド自在な移動レール部と、を備え、
前記移動レール部および前記固定レール部の一方はそれぞれが対向する面に少なくとも一つの突起を有し、他方はそれぞれが対向する面に少なくとも一つのクランプを有し、
前記クランプは前記突起が嵌合可能な開口を有し、
前記移動レール部が前記固定レール部に対して所定の位置に移動するときに、前記クランプが前記移動レール部および前記固定レール部の幅方向に弾性変形して前記突起と嵌合する。
上記構成によれば、例えば筐体に固定された固定レール部に対して移動レール部をスライドさせて所定の位置まで移動させる際に、固定レール部または移動レール部の厚さ方向への振動が発生しない。よって、スライドレールをスライド方向に動かす際に、がたつきを抑制することができる。また、スライド時に、突起とクランプは移動レール部および固定レール部を押圧しないので、スムーズに移動レール部を固定レール部に対してスライドさせることができる。
【００１３】
（２）二つの前記突起として、第一の突起と第二の突起とを備え、
二つの前記クランプとして、第一のクランプと第二のクランプとを備え、
前記移動レール部および前記固定レール部の前記一方は、それぞれが対向する面において長手方向の両方の端部側にそれぞれ前記第一の突起と前記第二の突起とが設けられ、前記他方はそれぞれが対向する面において長手方向の端部側に前記第一のクランプと前記第二のクランプとが設けられており、
前記移動レール部が前記固定レール部に対して収納された位置に移動するときに、前記第一のクランプが前記移動レール部または前記固定レール部の幅方向に弾性変形して前記第一の突起と嵌合し、
前記移動レール部が前記固定レール部に対して引き出された位置に移動するときに、前記第二のクランプが前記移動レール部または前記固定レール部の幅方向に弾性変形して前記第二の突起と嵌合してもよい。
上記構成によれば、例えば筐体に固定された固定レール部に対して移動レール部をスライドさせて引き出された位置で止めるまで、あるいは、収納された位置で止めるまでに、固定レール部または移動レール部の厚さ方向への振動が発生しない。よって、スライドレールをスライド方向に動かす際に、がたつきを抑制することができる。また、スライド時に、第一の突起，第二の突起，第一のクランプおよび第二のクランプは、移動レール部および固定レール部を押圧しないので、スムーズに移動レール部を固定レール部に対してスライドさせることができる。
【００１４】
（３）前記第一のクランプと前記第二のクランプとがスライド方向において隣り合わせに設けられており、前記開口が開いている方向が反対方向であってもよい。
上記構成によれば、第一のクランプと第二のクランプとが隣り合わせに設けられているので、移動レール部を固定レール部に対してできるだけ大きく引き出すことができる。
【００１５】
（４）二つの前記固定レール部として、第一固定レール部と第二固定レール部とを備え、
前記移動レール部は、前記第一固定レール部と前記第二固定レール部との間に介在させてスライド自在であってもよい。
上記構成によれば、固定レール部が二つある構成であっても、移動レール部を第一固定レール部と第二固定レール部のそれぞれに対してスライドさせるときに、がたつきを抑制できると共にスムーズにスライドさせることができる。
【００１６】
（５）前記第二固定レール部は、前記第一固定レール部からの引き出し方向の後端側に前記クランプが設けられ、
前記移動レール部は、前記引き出し方向の先端側に前記クランプが当接して係止される係止部が設けられると共に、前記係止部の後方側の内側面の間隔が前記クランプの外径よりも大きい間隔に拡張された拡幅部が設けられており、
前記拡幅部と前記クランプの外側縁部とによって、前記移動レール部に対して前記第二固定レール部をその幅方向の少なくとも一方向に傾斜可能に構成されている。
上記構成によれば、移動レール部を第二固定レール部の先端側まで引き出すと係止部がクランプに当接して係止される。このように係止されたとき、移動レール部の拡幅部に第二固定レール部のクランプの外側縁部が当接するまで移動レール部を傾斜させことができる。これにより、例えば第二固定レール部を固定した筐体を傾けることができるので、筐体内を作業者が見やすくなり作業をより容易に行うことが可能となる。
【００１７】
（６）前記第一固定レール部と前記第二固定レール部とが同じ構造であってもよい。
上記構成によれば、第一固定レール部と第二固定レール部とが同じ構造であるので、例えば金型を共有できるなどして製造コストを削減できる。
【００１８】
（７）前記クランプは、Ｃ型クランプであってもよい。
上記構成によれば、クランプをＣ型クランプとすることにより、固定レール部の幅方向の両方に弾性変形するので、突起を開口に対して容易に嵌合することができる。
【００１９】
また、本発明の一態様に係るスライドレールを備える光パネルは、
（８）外線から導入する光ケーブルとの接続部を有するトレイと、該トレイを収納する光パネル本体と、上記（１）から（７）のいずれか一つに記載のスライドレールと、を備える光パネルであって、
前記トレイと前記光パネル本体とが前記スライドレールを介して連結され、前記トレイが前記光パネル本体から引き出し自在に構成されている。
上記構成によれば、光パネル本体からトレイを引き出す際あるいは収納する際に、がたつきを抑制できると共にスムーズにトレイをスライドさせることができる。これにより、トレイに搭載された光ファイバ等の配線状態や収納物の配置などがトレイのスライドによって乱れることを抑制できる。
【００２０】
（本発明の実施形態の詳細）
本発明の実施形態に係るスライドレールおよびスライドレールを備えた光ファイバの具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００２１】
図１は、本実施形態に係るスライドレールを備える光パネルの一例を示す。光パネルは、例えば鉄板材、アルミ板材等で形成されており、例えばラック等に積層状態に配列されて収容される。
図１に示すように、光パネル１は、ラックに固定される光パネル本体１１（筐体の一例）と、光パネル本体１１に対して引き出しおよび収納が可能なトレイ１２（筐体の一例）とを備えている。トレイ１２には例えば外線から導入される光ケーブルが接続される接続部等が設けられている。
【００２２】
また、光パネル１は、光パネル本体１１に対するトレイ１２の引き出しおよび収納を可能にさせる一対のスライドレール１３を備えている。一対のスライドレール１３は、光パネル１の両側部に対向するように取り付けられている。各々のスライドレール１３は、第一固定レール部２と、第二固定レール部４と、移動レール部６とを有し、例えば合成樹脂材で形成されている。合成樹脂材を用いた場合、金属製のものに比べて素材の価格が安く、製造コストも低くできる可能性がある。
【００２３】
第一固定レール部２は、光パネル本体１１の左右両端部に立設する側壁１４の内側の面に、例えば取付爪の係合およびビス止め等により取り付けられている。第二固定レール部４は、トレイ１２の左右両端部に立設する側壁１５の外側の面に、例えば取付爪の係合およびビス止め等により取り付けられている。移動レール部６は、第一固定レール部２と第二固定レール部４とによって左右両側から挟まるように配置され、第一固定レール部２および第二固定レール部４のそれぞれに対してスライド可能に連結されている。
【００２４】
すなわち、光パネル本体１１とトレイ１２とはスライドレール１３を介して連結され、スライドさせることでトレイ１２が光パネル本体１１から引き出し自在に構成されている。図１には光パネル本体１１に対してトレイ１２が前方向へ引き出された状態の光パネル１が示されている。
【００２５】
図２，図３は、第一固定レール部２および第二固定レール部４を両側面側からそれぞれ見た斜視図を示す。第一固定レール部２と第二固定レール部４とは、例えば同じ構造に形成されており、略長板形状を有している。
【００２６】
第一固定レール部２においては、図２に示される側の面が光パネル本体１１の側壁１４に対向し、同側壁１４に取り付けられる一方側の側面２１であり、図３に示される側の面が移動レール部６の一側面に対向し、同一側面と連結される他方側の側面２２である。また、第二固定レール部４においては、図２に示される側の面がトレイ１２の側壁１５に対向し、同側壁１５に取り付けられる一方側の側面２１であり、図３に示される側の面が移動レール部６の他側面に対向し、同他側面と連結される他方側の側面２２である。
【００２７】
第一固定レール部２は、第一端部２３が光パネル１の前側に配置され、第二端部２４が光パネル１の後側に配置される向きとなって側壁１４に取り付けられている。第二固定レール部４は、第二端部２４が光パネル１の前側に配置され、第一端部２３が光パネル１の後側に配置される向きとなって側壁１５に取り付けられている。
【００２８】
図３に示すように、第一固定レール部２の他方側の側面２２における幅方向Ａの両端部には、互いに対向する向きへ突出する複数の鍔板部２５が、第一固定レール部２の長手方向Ｂに沿って設けられている。同様に、第二固定レール部４の他方側の側面２２にも、複数の鍔板部２５が、第二固定レール部４の長手方向Ｂに沿って設けられている。第一固定レール部２および第二固定レール部４は、それぞれ鍔板部２５を介して移動レール部６と連結され、鍔板部２５が設けられている長手方向Ｂに沿ってスライド可能とされている。
【００２９】
また、第一固定レール部２の他方側の側面２２における長手方向Ｂの第一端部２３側には、第一端部２３側に向かって開く開口部を有する、例えばＣ型形状を有する少なくとも一つのクランプ２６が設けられている。本例では、二つのクランプ２６（第一のクランプ２６ａ，第二のクランプ２６ｂ）を備えている。第一のクランプ２６ａと第二のクランプ２６ｂとは、移動レール部６のスライド方向（図３における長手方向Ｂ）において隣り合わせに配置され、それぞれのクランプの開口２７ａ，２７ｂは、より第一端部２３側にあるクランプの開口２７ａは第一端部２３側に向かって開いており、より第二端部２４側にあるクランプの開口２７ｂは第二端部２４側に向かって開いており、お互いの開口が反対方向を向くように設けられている。また、第一のクランプ２６ａおよび第二のクランプ２６ｂは、第一固定レール部２の厚さ方向Ｃへ側面２２から突出した状態で設けられている。なお、第二固定レール部４にも同様にクランプ２６が設けられている。
【００３０】
第一固定レール部２のクランプ２６は、第一固定レール部２が光パネル本体１１の側壁１４に取り付けられた状態において、トレイ１２の引き出し方向（図１において前方向）の端部側に位置される。一方、第二固定レール部４のクランプ２６は、第二固定レール部４がトレイ１２の側壁１５に取り付けられた状態において、トレイ１２の引き出し方向とは反対方向（図１において後方向）の端部側に位置される。
【００３１】
図４，図５は、移動レール部６を両側面側から見た斜視図を示す。移動レール部６において、図４に示されている一側面６１が、第一固定レール部２の他方側の側面２２に対向し、同側面２２と連結される面である。また、図５に示されている他側面６２が、第二固定レール部４の他方側の側面２２に対向し、同側面２２と連結される面である。
【００３２】
一側面６１は、第一端部６３が光パネル１の前側に配置され、第二端部６４が光パネル１の後側に配置される向きとなって第一固定レール部２の他方側の側面２２と連結される。他側面６２は、第一端部６３が光パネル１の前側に配置され、第二端部６４が光パネル１の後側に配置される向きとなって第二固定レール部４の他方側の側面２２と連結される。
【００３３】
図４に示すように、移動レール部６の一側面６１における幅方向Ａの両端部には、互いに反対の向きへ突出するフランジ部６５，６５が、移動レール部６の長手方向Ｂに沿って連続的に設けられている。両フランジ部６５，６５の間には、長手方向Ｂへ延びる浅い溝部６７が設けられている。また、図５に示すように、移動レール部６の他側面６２における幅方向Ａの両端部には、互いに反対の向きへ突出するフランジ部６６，６６が、移動レール部６の長手方向Ｂに沿って連続的に設けられている。両フランジ部６６，６６の間には、長手方向Ｂへ延びる浅い溝部６８が設けられている。
【００３４】
第一固定レール部２と移動レール部６とは、第一固定レール部２の鍔板部２５と移動レール部６のフランジ部６５とが係合することによって、スライド可能に連結される。そしてスライド時には、第一固定レール部２のクランプ２６が移動レール部６の溝部６７を通りながら移動する。また、第二固定レール部４と移動レール部６とは、第二固定レール部４の鍔板部２５と移動レール部６のフランジ部６６とが係合することによって、スライド可能に連結される。そしてスライド時には、第二固定レール部４のクランプ２６が移動レール部６の溝部６８を通りながら移動する。
【００３５】
また、図４に示すように、移動レール部６の一側面６１における長手方向Ｂの第一端部６３側には、溝部６７から移動レール部６の厚さ方向Ｃへ突出する第一の突起７１ａが設けられている。そして、第二端部６４側には同様に突出する第二の突起７１ｂが設けられている。一方、図５に示すように、移動レール部６の他側面６２における長手方向Ｂの第二端部６４側には、溝部６８から移動レール部６の厚さ方向Ｃへ突出する突起７２が設けられている。そして、第一端部６３側には溝部６８の幅を拡張させるように形成された拡幅部７３が設けられている。突起７１ａ，７１ｂ，７２の形状は、例えば円柱状、あるいは多角柱状等に形成されている。
【００３６】
一側面６１に設けられている第一の突起７１ａは、例えば図６，図７に示すように、移動レール部６が矢印Ｄ方向へスライドされて第一固定レール部２に対して収納された位置に移動するときに、第一固定レール部２の第一のクランプ２６ａに嵌合する。第一のクランプ２６ａは、第一固定レール部２の幅方向Ａのみに弾性変形可能な２８ａを有している。第一の突起７１ａは、移動レール部６が上記収納された位置に移動するときに、第一のクランプ２６ａの開口２７ａ部に当接し、腕部２８ａ，２８ａを幅方向Ａへ弾性変形させ、開口２７ａを押し広げて第一のクランプ２６ａに嵌合する。
【００３７】
また、一側面６１に設けられている第二の突起７１ｂ（図４参照）は、例えば移動レール部６がスライドされて第一固定レール部２に対して引き出された位置に移動するときに、第一固定レール部２の第二のクランプ２６ｂに嵌合する。このときも上記と同様に、第二の突起７１ｂは、腕部２８ｂ，２８ｂを幅方向Ａへ弾性変形させ、開口２７ｂを押し広げて第二のクランプ２６ｂに嵌合する。
【００３８】
また、他側面６２に設けられている突起７２は、例えば図８に示すように、移動レール部６および第二固定レール部４がスライドされて第一固定レール部２に対して収納された位置に移動するときに、第二固定レール部４の第一のクランプ２６ａに嵌合する。このときも上記と同様に、突起７２は、腕部２８ａ，２８ａを幅方向Ａへ弾性変形させ、開口２７ａを押し広げて第一のクランプ２６ａに嵌合する。
【００３９】
また、他側面６２に設けられている拡幅部７３は、例えば図９に示すように、移動レール部６の先端側ほど幅広となるように形成されている。なお、矢印Ｅで示される方向がトレイ１２が引き出される方向、すなわち図１に示されている前方向に相当する。拡幅部７３の先端部には、引き出し方向へスライドされた第二固定レール部４の第二のクランプ２６ｂが当接して係止される係止部７４が設けられている。拡幅部７３は、係止部７４の後方側の内側面７５，７５の間隔が第二のクランプ２６ｂの外径よりも大きい間隔に拡張されており、スライドされたクランプ２６が拡幅部７３内を回動可能とされている。
【００４０】
クランプ２６が回動されると、第二のクランプ２６ｂの外側縁部が拡幅部７３の内側面７５に当接し、図１０に示すように、第二固定レール部４が移動レール部６に対してその幅方向の少なくとも一方向に傾斜できるように構成されている。第二固定レール部４が傾斜されると、第二固定レール部４に取り付けられているトレイ１２も同様に傾斜して、例えば図１に示されるような斜め下方向へ傾斜した状態となる。
【００４１】
なお、本例ではクランプ２６の形状は、弾性変形可能な二つの腕部を有するＣ型形状に形成されているが、これに限定されるものではない。例えば弾性変形可能な一方側のみの一つの腕部を有し、他方側は弾性変形しない別部材が設けられた構成として、その腕部と別部材との間に開口を設け、上記一方側の腕部が弾性変形することでクランプと突起とが嵌合するようにしてもよい。
【００４２】
また、本例では第一固定レール部２および第二固定レール部４にクランプが設けられ、移動レール部６に突起が設けられる構成とされているが、これに限定されない。例えば第一固定レール部２および第二固定レール部４に突起が設けられ、移動レール部６にクランプが設けられるような構成であってもよい。
【００４３】
また、本例では第一固定レール部２において第一のクランプと第二のクランプとが隣り合わせに設けられ、各クランプに異なる突起が嵌合するように構成されているが、これに限定されるものではない。例えば第一のクランプと第二のクランプとを第一固定レール部２の両端部に開口同士が互いに向かい合うように離して設け、移動レール部６に設けられた一つの突起がトレイ１２の引き出し時および収納時に各クランプに嵌合するような構成としてもよい。
【００４４】
このような構成のスライドレール１３および光パネル１によれば、クランプ（２６ａ，２６ｂ）と突起（７１ａ，７１ｂ，７２）とが嵌合する際、クランプが移動レール部６および固定レール部（２，４）の幅方向Ａのみに弾性変形して突起と嵌合する。このため、クランプ（２６ａ，２６ｂ）と突起（７１ａ，７１ｂ，７２）とが嵌合する際における固定レール部（２，４）または移動レール部６の厚さ方向に発生しうる振動を防ぐことができる。したがって、例えば筐体（光パネル本体１１，トレイ１２）に固定された固定レール部（２，４）に対して移動レール部６をスライドさせて引き出された位置で止めるまで、あるいは、収納された位置で止めるまでに、上記厚さ方向の振動が発生しない。よって、スライドレール１３をスライド方向に動かす際に、がたつきを抑制することができる。また、スライド時に、突起（７１ａ，７１ｂ，７２）、およびクランプ（２６ａ，２６ｂ）は、移動レール部６および固定レール部（２，４）を押圧しない構成となっている。したがって、固定レール部（２，４）に対して移動レール部６をスムーズにスライドさせることができる。
【００４５】
また、第一のクランプ２６ａおよび第二のクランプ２６ｂをＣ型クランプ形状とすることにより、固定レール部（２，４）の幅方向の両方に弾性変形するので、突起（７１ａ，７１ｂ，７２）を開口（２７ａ，２７ｂ）に対して容易に嵌合することができる。
【００４６】
また、第一のクランプ２６ａと第二のクランプ２６ｂとが移動レール部６のスライド方向において隣り合わせに配置され、各クランプの開口２７ａ，２７ｂが反対方向を向くように設けられている。このため、移動レール部６を第一固定レール部２に対してできるだけ大きく引き出し方向へ引き出すことができる。
【００４７】
また、第二固定レール部４を引き出し方向へ引き出すと移動レール部６の係止部７４に第二のクランプ２６ｂが当接して係止される。このように係止されたとき、移動レール部６の拡幅部７３の内側面７５に第二固定レール部４の第二のクランプ２６ｂの外側縁部が当接するまで第二固定レール部４を傾斜させることができる。これにより、例えば第二固定レール部４を固定したトレイ１２を傾けることができるので、トレイ１２内を作業者が見やすくなり作業効率を高めることが可能になる。
【００４８】
また、第一固定レール部２と第二固定レール部４とが同じ構造であるので、例えば金型を共有できるなどして製造コストを削減できる。
【００４９】
また、光パネル本体１１からトレイ１２を引き出す際あるいは収納する際に、がたつきを抑制できるとともに、スムーズにトレイ１２をスライドさせることができる。これにより、トレイ１２および光パネル本体１１に搭載された光ファイバ等の配線状態や収納物の配置などがトレイ１２のスライドによって乱れることを抑制できる。
【００５０】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【００５１】
上記の実施態様では、固定レール部として、第一固定レール部と第二固定レール部とを備えている例を示したが、固定レール部の数はこれに限定されず、少なくとも一つの固定レール部を備えていればよい。
【符号の説明】
【００５２】
１：光パネル
２：第一固定レール部
４：第二固定レール部
６：移動レール部
１１：光パネル本体（筐体の一例）
１２：トレイ（筐体の一例）
１３：スライドレール
１４：側壁
１５：側壁
２１：側面
２２：側面
２３：第一端部
２４：第二端部
２５：鍔板部
２６：クランプ
２６ａ：第一のクランプ
２６ｂ：第二のクランプ
２７ａ，２７ｂ：開口
２８ａ：腕部
６１：一側面
６２：他側面
６３：第一端部
６４：第二端部
６５、６６：フランジ部
６７：溝部
６８：溝部
７１ａ：第一の突起
７１ｂ：第二の突起
７２：突起
７３：拡幅部
７４：係止部
７５：内側面
【図１】
2018158005.tif 000003
【図２】
2018158005.tif 000004
【図３】
2018158005.tif 000005
【図４】
2018158005.tif 000006
【図５】
2018158005.tif 000007
【図６】
2018158005.tif 000008
【図７】
2018158005.tif 000009
【図８】
2018158005.tif 000010
【図９】
2018158005.tif 000011
【図１０】
2018158005.tif 000012